(57)【要約】【課題】ダウンコンバートで高調波成分をキャンセルでき、受信感度劣化の原因を解決することができること。【解決手段】受信周波数と、メモリー内のデータからクロックの周波数の整数倍のデータとを比較判定し、クロックの周波数を制御する制御部を備え、制御部は、クロックの高調波成分と受信周波数とを同一に設定する。【選択図】図１
2015126312.tif 000002
【特許請求の範囲】
【請求項１】
受信周波数と、メモリー内のクロックの周波数の整数倍のデータとを比較判定し、前記クロックの周波数を制御する制御部
を備え、
前記制御部は、前記クロックの高調波成分と前記受信周波数とを同一に設定する
ことを特徴とする携帯電話制御装置。
【請求項２】
前記制御部は、受信可能な周波数と使用する前記クロックの高調波成分とを比較し、受信信号と高調波の周波数とが帯域内に存在する場合、前記高調波が前記受信信号と同一周波数になるように、前記クロックの周波数を変更する
ことを特徴とする請求項１に記載の携帯電話制御装置。
【請求項３】
位相同期回路と、分周器、とをさらに備える
ことを特徴とする請求項１または２に記載の携帯電話制御装置。
【請求項４】
前記無線部は、受信ゲインアンプを備える
ことを特徴とする請求項１〜３のいずれか一項に記載の携帯電話制御装置。
【請求項５】
無入力時の受信信号強度を測定する受信回路
を更に備えることを特徴とする請求項１〜４のいずれか一項に記載の携帯電話制御装置。
【請求項６】
受信周波数と、メモリー内のクロックの周波数の整数倍のデータとを比較判定し、前記クロックの周波数を制御する制御段階
を備え、
前記制御段階においては、前記クロックの高調波成分と前記受信周波数とを同一に設定する
ことを特徴とする携帯電話制御方法。
【発明の詳細な説明】
【技術分野】
【０００１】
本発明は、携帯電話制御装置及び携帯電話制御方法に関する。
【背景技術】
【０００２】
クロックを用いた携帯電話装置がある。
【０００３】
このような背景に関連する技術としては、様々なものが知られている（例えば、特許文献１参照。）。
【０００４】
例えば、特許文献１には、使用されるシステムクロック、バスクロック、ＣＰＵクロック等のクロックの周波数を、受信周波数に従って変更する携帯電話装置が記載されている。より具体的に説明すると、この携帯電話装置は、使用される各種クロックの周波数の整数倍が受信周波数に該当する無線チャンネルを利用するときに、クロックの周波数を受信周波数の整数分の１の周波数からずらした周波数に制御を行い、クロックとして数十ｋＨｚ程度の高次が無線周波数に影響しない周波数を基準周波数として用いたＰＬＬ回路方式の発振器により発振した周波数あるいは周波数を分周した周波数を用いるように制御する制御手段を備え、クロックの周波数の変更は、無線チャンネルを切り替える受信部の局部発振器のＰＬＬ回路の周波数を切り替えるときの周波数が所定の範囲に収束するまでの時間内に行う。このようにして、この携帯電話装置によっては、クロック類の周波数の整数倍の周波数が受信周波数となるチャンネルでも、受信感度劣化がなく、良好な受信ができるとともに、受信レベルの測定を正確に実施することができる。
【０００５】
カメラ搭載の携帯電話装置において、カメラ動作用クロック信号の周波数を変更する携帯電話装置がある。
【０００６】
このような背景に関連する技術としては、様々なものが知られている（例えば、特許文献２参照。）。
【０００７】
例えば、特許文献２には、カメラ動作用クロック信号の周波数を受信周波数を受信したタイミングで変更する携帯電話装置が記載されている。より具体的に説明すると、この携帯電話装置は、受信周波数がカメラを駆動するカメラ動作用クロック信号の整数倍の周波数と一致するか否かを検出する受信周波数判定手段と、受信周波数の受信電界レベルと予め設定されたしきい値とを比較し電界レベルを判定する受信電界レベル判定手段と、受信周波数判定手段が一致を判定し、且つ受信電界レベル判定手段がしきい値以下を判定したとき、カメラ動作用クロック信号の周波数を受信周波数を受信したタイミングで変更するクロック信号周波数変更手段とを有する。このようにして、この携帯電話装置によっては、カメラ動作用クロック周波数の整数倍が無線特性にノイズとして影響を与えることなく、また、低電界レベル受信時に受信不能状態に陥ることを防止することができる。
【先行技術文献】
【特許文献】
【０００８】
【特許文献１】特許第３６６２８９１号公報
【特許文献２】特開２００４−１７９８６１号公報
【発明の概要】
【発明が解決しようとする課題】
【０００９】
携帯電話装置では、例えば、数ＭＨｚのクロックは、伝送線路上で反射が起きやすく、その影響でリンギングが発生し、クロックに含まれる高周波成分がノイズとして輻射することがある。特に、受信信号の帯域内に、ＣＰＵやＬＣＤ、カメラなどのクロックが高調波となって現れる場合、高調波成分は受信感度の劣化原因となる。このように、携帯電話装置の高周波化が加速する中で、クロック信号の対策は重要となっており、特性を確保するために、感度抑圧の原因となるクロックの高調波成分の影響を常に考慮した設計、対策を講じなければならない。
【００１０】
一方、特許文献１及び特許文献２に記載の発明は、高調波成分をキャンセルすることができないので、受信感度の劣化を解決できない。
【課題を解決するための手段】
【００１１】
上記課題を解決するために、本発明の第１の形態によると、受信周波数と、メモリー内のクロックの周波数の整数倍のデータとを比較判定し、クロックの周波数を制御する制御部を備え、制御部は、クロックの高調波成分と受信周波数とを同一に設定する。
【００１２】
本発明の第２の形態によると、受信周波数と、メモリー内のクロックの周波数の整数倍のデータとを比較判定し、クロックの周波数を制御する制御段階を備え、制御段階においては、クロックの高調波成分と受信周波数とを同一に設定する。
【００１３】
なお、上記の発明の概要は、本発明の必要な特徴の全てを列挙したものではない。また、これらの特徴群のサブコンビネーションもまた、発明となり得る。
【発明の効果】
【００１４】
以上の説明から明らかなように、この発明によっては、高調波成分をキャンセルすることにより、受信感度の劣化を解決することができる。
【図面の簡単な説明】
【００１５】
【図１】第１の実施形態に係る携帯電話制御装置１００の一例のブロック構成図である。
【図２】制御部１３の制御動作を説明するフローチャートである。
【図３】基準クロックの変更例を示す表であって、（ａ）は変更前の周波数一覧表、（ｂ）は変更後の周波数一覧表である。
【図４】高調波と希望波との関係図である。
【図５】復調器２１内の信号説明図である。
【図６】復調器２１の出力信号スペクトラム図であって、（ａ）は受信周波数がＮ倍のクロック周波数と同一ではない場合であり、（ｂ）は受信周波数がＮ倍のクロック周波数と同一の場合である。
【図７】第２実施形態に係る携帯電話制御装置２００の一例のブロック構成図である。
【図８】本発明に必須の構成を示す図である。
【発明を実施するための形態】
【００１６】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００１７】
図１は、第１の実施形態に係る携帯電話制御装置１００の一例のブロック構成図を示す。図１に示すように、携帯電話制御装置１００は、クロック１１と、メモリー１２と、制御部１３と、無線部１４と、アンテナ１５と、本発明の「位相同期回路」の一例としてのＰＬＬ回路１６と、分周器１７と、を備える。
【００１８】
クロック１１は、クロック信号生成回路であって、例えば、１秒間に電圧の最大値と最小値とを繰り返すことにより発振する回数をクロック周波数Ｆｃｌｋという。一般的に、クロック周波数Ｆｃｌｋは、この値が大きければ大きいほど、その装置の処理速度が速い。マイクロプロセッサでは、クロック周波数Ｆｃｌｋを内部で何倍かにして適切なクロック周波数Ｆｃｌｋで動作する。ＰＬＬ回路１６は、入力される周期的信号を元に、フィードバック制御を加えて、別の発振器から位相が同期した信号を出力する。分周器１７は、クロックパルスを計数することにより数値の処理を行うための論理回路である。ここで、ＰＬＬ回路１６は、クロック１１から得られた基準クロックを分周器１７により分周する。
【００１９】
メモリー１２は、制御部１３に電気的に接続されており、クロック１１の周波数の整数倍のデータが格納される。
【００２０】
制御部１３は、メモリー１２内のデータからクロック周波数Ｆｃｌｋの整数倍ＮのデータＮ×Ｆｃｌｋと受信周波数Ｆｒｘとを比較判定し、クロック周波数Ｆｃｌｋを制御する。具体的に、制御部１３は、受信信号の帯域内周波数にデータベースの周波数が含まれる場合、感度抑圧の原因となるクロック周波数Ｆｃｌｋを切り替え、クロック１１の高調波成分が受信周波数Ｆｒｘと同一になるように制御する。制御部１３は、無線部１４においてクロック１１と異なるクロック１１の高調波成分による感度抑圧を回避するために、分周器１７の分周比を決定する。
【００２１】
一般的に、ダイレクトコンバージョン方式の受信機では、受信信号に受信信号と同じ周波数のローカル信号をミキシングさせることによって無線周波数をローカル周波数にダウンコンバートする。そして、制御部１３は、感度抑圧の原因となるクロック１１の高調波成分と受信周波数とを同一にすることで、クロック１１の高調波成分を、搬送波周波数とともにローカル周波数へ復調する時に消滅できる。制御部１３は、ＰＬＬ（Ｐｈａｓｅ  Ｌｏｃｋｅｄ  Ｌｏｏｐ）回路１６と分周器１７とを使ってクロック１１の周波数を制御する。
【００２２】
無線部１４は、アンテナ１５を通じて、無線でデータを送受信し、ダウンコンバート機能と無入力時の受信信号強度（ＲＳＳＩ）とを測定する本発明の「受信回路」としての受信部１８を有し、送信部１９を有する。また、無線部１４は、受信ゲインアンプ２０を有する。受信ゲインアンプ２０は、無入力時の受信信号強度によって測定されたスプリアスレベルと受信信号のレベルとを比較した際に、受信信号レベルよりスプリアスレベルが高い場合、スプリアスを、搬送波周波数にシフトさせても問題ないレベルまで、受信信号レベルを増幅させる。そして、無線部１４は、復調器２１を有する。
【００２３】
図２は、制御部１３の制御動作を説明するフローチャートである。図３は、基準クロックの変更例を示す表であって、（ａ）は変更前の周波数一覧表、（ｂ）は変更後の周波数一覧表である。図４は、高調波と希望波との関係図である。図５は、復調器２１内の信号説明図である。図６は、復調器２１の出力信号スペクトラム図であって、（ａ）は受信周波数がＮ倍のクロック周波数と同一ではない場合であり、（ｂ）は受信周波数がＮ倍のクロック周波数と同一の場合である。
【００２４】
図２に示すように、最初に、不図示のカメラや液晶ディスプレイ（ＬＣＤ（Ｌｉｑｕｉｄ  Ｃｒｙｓｔａｌ  Ｄｉｓｐｌａｙ））が起動される（Ｓ１０１）。
【００２５】
次に、受信部１８が作動され、クロック１１のスプリアスレベルｌｖｌ＿ｎｏが測定される（Ｓ１０２）。
【００２６】
続いて、制御部１３によって、クロック１１のスプリアスレベルｌｖｌ＿ｎｏが受信信号レベルよりも低いか否かが判別される（Ｓ１０３）。
【００２７】
クロック１１のスプリアスレベルｌｖｌ＿ｎｏが受信信号レベルよりも低い場合、制御部１３によって、受信周波数Ｆｒｘが設定され、受信周波数Ｆｒｘの帯域ＢＷ内にクロック１１の周波数の整数倍Ｎのデータが存在しているか否かが判別される（Ｓ１０４）。
【００２８】
このとき、クロック１１のスプリアスレベルｌｖｌ＿ｎｏが受信信号レベルよりも低くない場合、受信ゲインアンプ２０によって、受信信号のレベルがスプリアスレベルｌｖｌ＿ｎｏより高くなるように増幅される（Ｓ１０５）。
【００２９】
ここで、受信周波数Ｆｒｘの帯域ＢＷ内にクロック１１の周波数の整数倍Ｎのデータが存在していない場合、図４に示すように、希望波Ｗ１の帯域ＢＷ内にクロック１１の高調波成分Ｗ３が存在せず、図５に示すように、復調器２１の入力信号ｓ（ｔ）に、クロック１１の高調波成分の影響がなく、感度抑圧が発生しないので、制御動作は終了される。
【００３０】
制御部１３によって、受信周波数が設定され、受信周波数Ｆｒｘの帯域ＢＷ内にクロック周波数Ｆｃｌｋの整数倍Ｎのデータが存在している場合において、受信周波数Ｆｒｘと感度抑圧の原因となるクロック周波数Ｆｃｌｋの整数倍Ｎとが等しくないか否かが判別される（Ｓ１０６）。
【００３１】
このとき、図３（ａ）に示すように、２ｃｈ、５ｃｈ、９ｃｈのような周波数が受信される。そして、図４に示したように、高調波成分Ｗ２が希望波Ｗ１の帯域ＢＷ内に存在する場合、図５に示すように、復調器２１の入力信号ｓ（ｔ）に多重し、図６（ａ）に示すように、復調器２１の出力信号のスペクトラムが出力信号に影響を及ぼす。すなわち、復調器２１の出力には、受信信号の希望信号成分Ｆｓと高調波信号成分のＦｂとが、希望信号成分Ｆｓから受信周波数Ｆｒｘ−クロック周波数Ｆｃｌｋの整数倍ＮのデータＮ×Ｆｃｌｋだけ離れて出現することになる。
【００３２】
そこで、制御部１３によって、クロック周波数Ｆｃｌｋが受信周波数Ｆｒｘ／整数倍Ｎに設定される（Ｓ１０７）。これにより、図２（ｂ）に示すように、クロック１１の高調波成分Ｎ×Ｆｃｌｋが受信周波数Ｆｒｘと同一に設定される。そのため、図６（ｂ）に示すように、復調器２１内でダウンコンバートする際に、高調波成分は搬送波とともに除去され、出力信号に影響を及ぼさなくなる。
【００３３】
このとき、受信周波数Ｆｒｘと感度抑圧の原因となるクロック周波数Ｆｃｌｋの整数倍Ｎとが等しい場合、図４に示すように、希望波Ｗ１の帯域ＢＷ内にクロック１１の高調波成分Ｗ３が存在するが、希望波Ｗ１とクロック１１の高調波成分Ｗ３の周波数とが全く同じになるために、図６（ｂ）に示すように、出力信号に影響を及ぼさず、感度抑圧は発生しない。
【００３４】
以上説明したように、本実施形態の携帯電話制御装置１００は、制御部１３によって、クロック１１の高調波成分Ｗ３と受信周波数Ｆｒｘとが同一に設定されるために、ダウンコンバートで高調波成分をキャンセルでき、受信感度劣化の原因を解決することができる。
【００３５】
また、制御部１３は、受信可能な周波数と使用するクロック１１の高調波成分Ｗ２とを比較し、受信周波数Ｆｒｘの帯域ＢＷ内にクロック周波数Ｆｃｌｋの整数倍Ｎのデータが存在する場合、高調波成分Ｗ３が受信周波数Ｆｒｘと同一周波数になるように、クロック周波数Ｆｃｌｋを変更する。これにより、制御部１３によって、ダウンコンバートで高調波成分をキャンセルできる。
【００３６】
また、ＰＬＬ回路１６と、分周器１７、とをさらに備えるために、クロック１１から得られた基準クロックを分周することができる。
【００３７】
また、無線部１４が、受信ゲインアンプ２０を備えるために、無入力時の受信信号強度によって測定されたスプリアスレベルと受信信号のレベルとを比較した際に、受信信号レベルよりスプリアスレベルが高い場合、スプリアスを、搬送波周波数にシフトさせても問題ないレベルまで、受信信号レベルを増幅できる。
【００３８】
また、受信部１８は、無入力時の受信信号強度を測定するために、スケルチ等の雑音遮断機能を実現できる。
【００３９】
次に、第２実施形態について図７を参照しながら説明するが、第１の実施形態と同一の部位には同一の符号を付してその説明は省略し、異なる点についてのみ説明する。図７は、第２実施形態に係る携帯電話制御装置２００の一例のブロック構成図である。図７に示すように、携帯電話制御装置２００は、ローカル信号発生器２３を有する無線部２２を備える。無線部２２は、ローカル信号発生器２３によって、クロック１１と同一のクロック１１の高調波成分による感度抑圧を回避し、使用している分周比を感度抑圧の原因となるクロック１１に使用することで、制御部１３の演算を除外できる。
【００４０】
ここで、受信周波数Ｆｒｘと、クロック周波数Ｆｃｌｋとの関係は、以下の数式（１）で表される。
【００４１】
【数１】
2015126312.tif 000003
【００４２】
ここで、Ｐは、受信周波数を設定するための係数である。そして、感度抑圧の原因となるクロック１１の高調波の周波数Ｆｓｐは、以下の数式（２）で表される。
【００４３】
【数２】
2015126312.tif 000004
【００４４】
ここで、Ｎは、高調波成分の次数、Ｑは、分周比である。（数式１）＝（数式２）により、以下の数式（３）で表される。
【００４５】
【数３】
2015126312.tif 000005
【００４６】
そのため、Ｐと、Ｎと、の比で感度抑圧の原因となるブロックのクロック１１の分周比を求めることができる。制御部１３は、第１の実施形態と同様の比較動作を行う。
【００４７】
本実施形態の携帯電話制御装置２００は、Ｎと、Ｐと、により分周比Ｑの値を決定することで、感度抑圧の原因となるクロック１１の高調波を受信周波数Ｆｒｘとを同一に設定することができる。
【００４８】
なお、携帯電話制御装置１００、２００及び携帯電話制御方法は、前述した各実施形態に限定するものでなく、適宜な変形や改良等が可能である。
【００４９】
図８は、本発明に必須の構成を示す図である。本発明に係る携帯電話制御装置は、少なくとも、制御部を備える。
【符号の説明】
【００５０】
１００  携帯電話制御装置
２００  携帯電話制御装置
１１  クロック
１２  メモリー
１３  制御部
１４、２２  無線部
１５  アンテナ
１６  ＰＬＬ回路
１７  分周器
１８  受信回路
２０  受信ゲインアンプ
２１  復調器
２３  ローカル信号発生器
【図１】
2015126312.tif 000006
【図２】
2015126312.tif 000007
【図３】
2015126312.tif 000008
【図４】
2015126312.tif 000009
【図５】
2015126312.tif 000010
【図６】
2015126312.tif 000011
【図７】
2015126312.tif 000012
【図８】
2015126312.tif 000013